(57)【要約】【課題】走行用の駆動力を出力する内燃機関を駆動源として冷凍サイクルの圧縮機を駆動する車両用空調装置において、燃費向上効果を十分に得つつ、車室内の冷房を実現する。【解決手段】冷媒蒸発温度Ｔｅから目標冷媒蒸発温度ＴＥＯを減算した値（Ｔｅ−ＴＥＯ）に基づいて、エンジン１０が車両走行用の駆動力を出力するために必要な燃料消費量および冷凍サイクルの圧縮機２１用の駆動力出力するために必要な燃料消費量の合計の上限値としての燃料消費量上限値Ｑｍを決定する上限値決定手段Ｓ６を備え、エンジン１０にて実際に消費させる燃料消費量が燃料消費量上限値Ｑｍ以下となるように、圧縮機２１の冷媒吐出能力を制御する。これにより、空調負荷に応じて燃料消費量上限値Ｑｍを決定することができるので、車両の燃費向上効果を十分に得つつ、車室内の空調を実現することができる。【選択図】図３
2011051491.tif 000002
【特許請求の範囲】
【請求項１】
車両走行用の駆動力を出力する内燃機関（１０）から駆動力を得て冷媒を圧縮して吐出する圧縮機（２１）、および冷媒と車室内送風空気とを熱交換させて冷媒を蒸発させる蒸発器（２２）を有する蒸気圧縮式の冷凍サイクル（２０）と、
前記圧縮機（２１）の冷媒吐出能力を制御する吐出能力制御手段（６０ａ）とを備え、
前記吐出能力制御手段（６０ａ）が、前記蒸発器（２２）における冷媒蒸発温度（Ｔｅ）が目標冷媒蒸発温度（ＴＥＯ）に近づくように前記圧縮機（２１）の冷媒吐出能力を制御する車両用空調装置であって、
少なくとも前記冷媒蒸発温度（Ｔｅ）を用いて、前記内燃機関（１０）が消費する燃料消費量の上限値である燃料消費量上限値（Ｑｍ）を決定する上限値決定手段（Ｓ６）を備え、
前記吐出能力制御手段（６０ａ）は、前記内燃機関（１０）にて実際に消費される燃料消費量が前記燃料消費量上限値（Ｑｍ）以下となるように、前記圧縮機（２１）の冷媒吐出能力を制御することを特徴とする車両用空調装置。
【請求項２】
前記上限値決定手段（Ｓ６）は、前記冷媒蒸発温度（Ｔｅ）から前記目標冷媒蒸発温度（ＴＥＯ）を減算した値（Ｔｅ−ＴＥＯ）が増加するに伴って、前記燃料消費量上限値（Ｑｍ）を増加させるように決定することを特徴とする請求項１に記載の車両用空調装置。
【請求項３】
さらに、前記内燃機関（１０）の負荷の増加に伴って、前記燃料消費量上限値（Ｑｍ）が増加するように補正する上限値補正手段（Ｓ７）を備えることを特徴とする請求項１または２に記載の車両用空調装置。
【請求項４】
さらに、前記内燃機関（１０）にて実際に消費される燃料消費量の推定値（Ｑｓ）が前記燃料消費量上限値（Ｑｍ）を上回ることを判定する上限値判定手段（Ｓ８）を備え、
前記推定値（Ｑｓ）は、前記圧縮機（２１）が駆動しているときの前記燃料消費量から前記圧縮機（２１）が停止しているときの前記燃料消費量を減算した値を用いて決定され、
前記吐出能力制御手段（６０ａ）は、前記上限値判定手段（Ｓ８）によって前記推定値が前記燃料消費量上限値（Ｑｍ）を上回ることが判定された際に、前記内燃機関（１０）にて実際に消費される燃料消費量が前記燃料消費量上限値（Ｑｍ）以下となるように、前記圧縮機（２１）の冷媒吐出能力を制御することを特徴とする請求項１ないし３のいずれか１つに記載の車両用空調装置。
【請求項５】
前記蒸発器（２２）は、冷熱を蓄える畜冷手段を有することを特徴とする請求項１ないし４のいずれか１つに記載の車両用空調装置。
【発明の詳細な説明】
【技術分野】
【０００１】
本発明は、内燃機関から出力される駆動力によって冷凍サイクルの圧縮機を駆動する車両用空調装置に関する。
【背景技術】
【０００２】
従来、車両走行用の駆動力を出力するエンジン（内燃機関）から出力される駆動力によって蒸気圧縮式冷凍サイクルの圧縮機を駆動する車両用空調装置が知られている。この種の車両用空調装置が搭載された車両では、車両用空調装置を作動させた際に、車両走行用の駆動力に加えて圧縮機の駆動力の分だけエンジン出力を増加させる必要がある。このため、車両用空調装置を作動させると、作動させていないときに比べて燃費が悪化する。
【０００３】
これに対して、特許文献１に記載された車両用空調装置では、車室内温度および車室内設定温度に基づいてアクセル開度の所定閾値を決定するとともに、アクセル開度がこの所定閾値より大きくなった際に、エンジンから圧縮機への動力伝達を遮断している。これにより、アクセル開度が所定閾値より大きくなった際のエンジン負荷を低減させて、燃費向上および加速性確保を狙っている。
【先行技術文献】
【特許文献】
【０００４】
【特許文献１】特開２００６−２９８０４２号公報
【発明の概要】
【発明が解決しようとする課題】
【０００５】
ところで、特許文献１の車両用空調装置のように、アクセル開度のみを参照する制御では、エンジン出力のうち車両走行用の駆動力として必要な走行用出力の増減に応じて様々な制御を行うことはできるものの、エンジン出力のうち圧縮機の駆動力として必要な圧縮機用出力の増減に応じた制御を実現することはできない。その理由は、空調に必要とされる圧縮機用出力は、アクセル開度に応じて変化するものではなく、空調負荷に応じて変化するからである。
【０００６】
しかしながら、特許文献１の車両用空調装置では、単に、車室内温度および車室内設定温度に基づいてアクセル開度の所定閾値を決定してアクセル開度をのみを参照する制御を行っているだけなので、空調負荷に応じて必要とされる圧縮機用出力を変化させることができない。従って、空調負荷に応じて必要とされる圧縮機用出力をエンジンに出力させるために要する燃料消費量を変化させることもできない。
【０００７】
このため、特許文献１の車両用空調装置では、例えば、空調負荷が低下して、空調に必要とされる圧縮機用出力が低下したとしても、圧縮機用出力を出力するために要する燃料消費量を低下させることができず、結果的に、燃費向上効果を十分に得ることができなくなってしまう。
本発明は上記点に鑑みて、車両の走行用駆動力を出力する内燃機関を駆動源として冷凍サイクルの圧縮機を駆動する車両用空調装置において、車両燃費の悪化を抑制しつつ、車室内の冷房を実現することを目的とする。
【課題を解決するための手段】
【０００８】
上記目的を達成するため、請求項１に記載の発明では、車両走行用の駆動力を出力する内燃機関（１０）から駆動力を得て冷媒を圧縮して吐出する圧縮機（２１）、および冷媒と車室内へ送風される送風空気とを熱交換させて冷媒を蒸発させる蒸発器（２２）を有する蒸気圧縮式の冷凍サイクル（２０）と、圧縮機（２１）の冷媒吐出能力を制御する吐出能力制御手段（６０ａ）とを備え、吐出能力制御手段（６０ａ）が、蒸発器（２２）における冷媒蒸発温度（Ｔｅ）が目標冷媒蒸発温度（ＴＥＯ）に近づくように圧縮機（２１）の冷媒吐出能力を制御する車両用空調装置であって、
少なくとも冷媒蒸発温度（Ｔｅ）を用いて、内燃機関（１０）が消費する燃料消費量の上限値である燃料消費量上限値（Ｑｍ）を決定する上限値決定手段（Ｓ６）を備え、吐出能力制御手段（６０ａ）は、内燃機関（１０）にて実際に消費される燃料消費量が燃料消費量上限値（Ｑｍ）以下となるように、圧縮機（２１）の冷媒吐出能力を制御することを特徴としている。
【０００９】
これによれば、内燃機関（１０）にて実際に消費される燃料消費量が、燃料消費量上限値（Ｑｍ）以下となるように、吐出能力制御手段（６０ａ）が圧縮機（２１）の冷媒吐出能力を制御するので、内燃機関（１０）にて実際に消費される燃料消費量が、燃料消費量上限値（Ｑｍ）を超えてしまうことを抑制できる。その結果、内燃機関（１０）の燃料消費量を低減することができ、車両の燃費向上効果を得るができる。
【００１０】
さらに、上限値決定手段（Ｓ６）が燃料消費量上限値（Ｑｍ）を決定する際に、少なくとも冷媒蒸発温度（Ｔｅ）を用いているので、空調負荷に応じて燃料消費量上限値（Ｑｍ）を決定できる。つまり、車両走行に必要な燃料消費量に対して、車室内空調を行うために必要最小限の燃料消費量を加算した値を、燃料消費量上限値（Ｑｍ）として決定することができる。
【００１１】
従って、空調負荷に応じて内燃機関（１０）の燃料消費量を抑制することができ、車両の燃費向上効果を十分に得つつ、車室内の冷房を実現することができる。
【００１２】
また、請求項２に記載の発明では、請求項１に記載の車両用空調装置において、上限値決定手段（Ｓ６）は、冷媒蒸発温度（Ｔｅ）から目標冷媒蒸発温度（ＴＥＯ）を減算した値（Ｔｅ−ＴＥＯ）が増加するに伴って、燃料消費量上限値（Ｑｍ）を増加させるように決定することを特徴としている。
【００１３】
ここで、冷媒蒸発温度（Ｔｅ）から目標冷媒蒸発温度（ＴＥＯ）を減算した値（Ｔｅ−ＴＥＯ）が増加するに伴って、冷媒蒸発温度（Ｔｅ）を目標冷媒蒸発温度（ＴＥＯ）に近づけるために、圧縮機（２１）の冷媒吐出能力を増加させる必要がある。つまり、冷媒蒸発温度（Ｔｅ）から目標冷媒蒸発温度（ＴＥＯ）を減算した値（Ｔｅ−ＴＥＯ）が増加するに伴って、空調負荷が増加するものと判断することができる。
【００１４】
従って、冷媒蒸発温度（Ｔｅ）から目標冷媒蒸発温度（ＴＥＯ）を減算した値（Ｔｅ−ＴＥＯ）が増加するに伴って、燃料消費量上限値（Ｑｍ）を増加させることで、冷媒負荷に応じて燃料消費量上限値（Ｑｍ）を適切に決定することができる。その結果、冷媒蒸発温度（Ｔｅ）を目標冷媒蒸発温度（ＴＥＯ）に迅速に近づけることができ、車室内の空調を速やかに実現することができる。
また、請求項３に記載の発明では、請求項１または２に記載の車両用空調装置において、さらに、内燃機関（１０）の負荷の増加に伴って、燃料消費量上限値（Ｑｍ）が増加するように補正する上限値補正手段（Ｓ７）を備えることを特徴としている。
【００１５】
これによれば、上限値補正手段（Ｓ７）が、内燃機関（１０）の負荷の増加に伴って、燃料消費量上限値（Ｑｍ）が増加するように燃料消費量上限値（Ｑｍ）を補正するので、内燃機関（１０）の負荷の増加に伴って、車両走行に必要な燃料消費量が増加しても、車室内空調を行うために必要最小限の燃料消費量を確保できる。従って、車両走行に必要な燃料消費量が増加しても、車室内の空調を確実に実現できる。
【００１６】
また、請求項４に記載の発明では、請求項１ないし３のいずれか１つに記載の車両用空調装置において、さらに、内燃機関（１０）にて実際に消費される燃料消費量の推定値（Ｑｓ）が燃料消費量上限値（Ｑｍ）を上回ることを判定する上限値判定手段（Ｓ８）を備え、推定値（Ｑｓ）は、圧縮機（２１）が駆動しているときの燃料消費量から圧縮機（２１）が停止しているときの燃料消費量を減算した値を用いて決定され、吐出能力制御手段（６０ａ）は、上限値判定手段（Ｓ８）によって推定値が燃料消費量上限値（Ｑｍ）を上回ることが判定された際に、内燃機関（１０）にて実際に消費される燃料消費量が燃料消費量上限値（Ｑｍ）以下となるように、圧縮機（２１）の冷媒吐出能力を制御することを特徴としている。
【００１７】
これによれば、具体的に、推定値（Ｑｓ）が燃料消費量上限値（Ｑｍ）を上回ることを判定しているので、上限値判定手段（Ｓ８）の判定結果に基づいて、確実に、内燃機関（１０）にて実際に消費される燃料消費量が燃料消費量上限値（Ｑｍ）以下となるように圧縮機（２１）の冷媒吐出能力を制御することができる
また、請求項５に記載の発明では、請求項１ないし４のいずれか１つに記載の車両用空調装置において、蒸発器（２２）は、冷熱を蓄える畜冷手段を有することを特徴としている。
【００１８】
これによれば、内燃機関（１０）の実際の燃料消費量が燃料消費量上限値（Ｑｍ）を上回り、圧縮機（２１）の冷媒吐出能力が減少した際に、蒸発器（２２）の畜冷手段に蓄えられた冷熱によって、車室内へ吹き出される送風空気の温度を低下させることができる。従って、内燃機関（１０）の実際の燃料消費量が燃料消費量上限値（Ｑｍ）を上回り、圧縮機（２１）の冷媒吐出能力が減少しても、車室内の温度が急上昇して乗員に不快感を与えることを抑制できる。
【００１９】
なお、この欄および特許請求の範囲で記載した各手段の括弧内の符号は、後述する実施形態に記載の具体的手段との対応関係を示す一例である。
【図面の簡単な説明】
【００２０】
【図１】一実施形態における車両用空調装置１の全体構成図である。
【図２】一実施形態の車両用空調装置の１電気制御部を示すブロック図である。
【図３】一実施形態の車両用空調装置１の制御を示すフローチャートである。
【図４】燃料消費量上限値Ｑｍを決定するための制御特性図である。
【図５】燃料消費量上限値Ｑｍの補正量を決定するための制御特性図である。
【発明を実施するための形態】
【００２１】
以下、本発明の一実施形態について図１〜図５に基づいて説明する。図１は、本実施形態の車両用空調装置１の全体構成図である。本実施形態の車両用空調装置１は、車室内の冷房を行う冷房用空調装置として構成されており、エンジン（内燃機関）１０から車両走行用の駆動力を得る車両に適用している。
本実施形態のエンジン１０は、ガソリンを燃料とする、ガソリンエンジンである。具体的には、エンジン１０は、吸気配管を介して吸入された吸気に対して図示しない燃料噴射弁（インジェクタ）から適切な流量のガソリンを噴射することによって、適切に燃焼可能な空燃比となったガソリンと空気との混合気を形成し、この混合気を燃焼室にて燃焼させることによって回転駆動力を出力するものである。
【００２２】
燃料噴射弁は、加圧燃料を噴射する燃料噴射口を開閉する弁体、この弁体を変位駆動する電磁コイル等から構成される電磁弁であって、後述するエンジン制御装置５０から出力される制御電圧によってその作動が制御される。さらに、エンジン制御装置５０では、燃料噴射口を開弁させる時間（通電時間）を変化させることによって、燃料噴射弁からの燃料噴射量を制御している。
【００２３】
また、エンジン１０から出力される回転駆動力は、車両走行用の駆動力として用いられるだけでなく、車両用空調装置１にて車室内へ送風される送風空気を冷却する蒸気圧縮式の冷凍サイクル２０を構成する圧縮機２１の駆動力としても用いられる。
【００２４】
次に、本実施形態の車両用空調装置１の構成について説明する。車両用空調装置１は、冷凍サイクル２０を備えている。
【００２５】
冷凍サイクル２０は、冷媒を吸入して圧縮する圧縮機２１、圧縮機２１吐出冷媒を放熱させる放熱器２４、放熱器２４から流出した高圧冷媒を減圧膨張させる電気式膨張弁２３、および、電気式膨張弁２３にて減圧膨張された冷媒を送風空気とを熱交換させて冷媒を蒸発させる蒸発器２２等から構成される。
【００２６】
また、この冷凍サイクル２０では、冷媒として通常のフロン系冷媒を採用しており、高圧側冷媒圧力が冷媒の臨界圧力を超えない亜臨界冷凍サイクルを構成している。さらに、この冷媒には圧縮機２１を潤滑するための冷凍機油が混入されており、この冷凍機油は冷媒とともにサイクルを循環している。
【００２７】
圧縮機２１は、エンジンルーム内に配置され、冷凍サイクル２０において冷媒を吸入し、圧縮して吐出するもので、プーリおよびベルトＶを介してエンジン１０から駆動力が伝達される。さらに、本実施形態では圧縮機２１として、後述する空調制御装置６０から出力される制御信号（制御電流Ｉｎ）によって吐出容量を連続的に可変制御できる周知の斜板式可変容量型圧縮機を採用している。
【００２８】
斜板式可変容量型圧縮機は、吐出容量を変更することにより冷媒吐出能力を変更可能に構成されている。具体的には、上述の制御電流Ｉｎに応じて弁開度を変化させる電磁式容量制御弁２１ａによって内部に形成された斜板室（図示せず）へ導入させる吸入冷媒と吐出冷媒との割合を調整し、これにより斜板の傾斜角度を変化させてピストンストロークを変更する。
【００２９】
従って、本実施形態の電磁式容量制御弁２１ａは、圧縮機２１の冷媒吐出能力を変更する吐出能力変更手段を構成している。なお、吐出容量とは冷媒の吸入圧縮を行う作動空間の幾何学的な容積であり、より具体的には、ピストンストロークの上死点と下死点との間のシリンダ容積である。
【００３０】
さらに、斜板式可変容量型圧縮機では、吐出容量を略０％〜１００％の範囲で連続的に変化させることができるので、吐出容量を略０％付近に減少することによって、圧縮機２１を実質的に作動停止状態にすることができる。そこで、本実施形態では、圧縮機２１をプーリおよびベルトＶを介してエンジン１３に常時連結するクラッチレスの構成としている。
【００３１】
圧縮機２１の吐出側には、放熱器２４の冷媒入口側が接続されている。放熱器２４は、エンジンルーム内の車両前方側に配置されて、圧縮機２１から吐出された高温高圧冷媒と送風ファン２４ａから送風された車室外空気（外気）とを熱交換させるものである。送風ファン２４ａは、空調制御装置６０から出力される制御電圧によって回転数（送風空気量）が制御される電動式送風機である。
【００３２】
放熱器２４の冷媒出口側には、受液器（レシーバ）２５の冷媒入口側が接続されている。受液器２５は、内部に流入した冷媒の気液を分離して、余剰冷媒を蓄える低圧側気液分離器である。
【００３３】
受液器２５の冷媒出口側には、電気式膨張弁２３の冷媒入口側が接続されている。電気式膨張弁２３は、受液器２５から流出した高圧冷媒を減圧膨張させる減圧手段である。この電気式膨張弁２３は、空調制御装置６０から出力される制御信号によって絞り通路面積が調整される電気式の可変絞り機構である。
【００３４】
具体的には、空調制御装置６０は、蒸発器２２出口側冷媒の過熱度が予め定めた所定範囲となるように電気式膨張弁２３の作動を制御している。従って、電気式膨張弁２３の代わりに、蒸発器２２出口側冷媒の温度および圧力に基づいて蒸発器２２出口側冷媒の過熱度を検出する感温部を有し、蒸発器２２出口側冷媒の過熱度が予め定めた所定範囲となるように機械的機構によって絞り通路面積を調整する温度式膨張弁を採用してもよい。
【００３５】
電気式膨張弁２３の冷媒出口側には、蒸発器２２の冷媒入口側が接続されている。蒸発器２２は、室内空調ユニット３０内に形成された送風空気の空気通路に配置されている。さらに、蒸発器２２は、その内部を流通する冷媒と送風空気とを熱交換させ、冷媒を蒸発させ吸熱作用を発揮させることによって、送風空気を冷却する冷却用熱交換器である。また、蒸発器２２の冷媒出口側には、圧縮機２１の冷媒吸入口が接続されている。
本実施形態では、蒸発器２２として、冷媒が連通する複数本のチューブと、複数本のチューブの長手方向両端部に配置されて冷媒の分配および集合を行うヘッダタンクと、複数のチューブの相互間に配置されて送風空気との熱交換を促進するフィンとを有して構成される、いわゆるフィンアンドチューブ型の熱交換器を採用している。
【００３６】
さらに、本実施形態の蒸発器２２は、隣接配置されるチューブとフィンとの間に配置されて冷熱を蓄える蓄冷部材（蓄冷手段）を有している。具体的には、この蓄冷部材は、チューブとフィンとの間に配置される容器の中に、パラフィン等から構成される蓄冷剤を収容したものである。
【００３７】
そして、蒸発器２２にて冷媒を蒸発させて吸熱作用を発揮させる際に、蓄冷剤を凝固させて冷熱を蓄え、蓄冷材が融解する際に蓄えられた冷熱を放冷するようになっている。なお、蓄冷部材は、隣接配置される全てのチューブとフィンとの間に配置しておく必要はなく、隣接配置される一部のチューブとフィンとの間に配置すればよい。
【００３８】
次に、室内空調ユニット３０について説明する。室内空調ユニット３０は、車室内最前部の計器盤（インストルメントパネル）の内側に配置されて、その外殻を形成するケーシング３１内に送風機３２および蒸発器２２等を収容したものである。
【００３９】
ケーシング３１は、内部に車室内に送風される送風空気の空気通路を形成しており、ある程度の弾性を有し、強度的にも優れた樹脂（例えば、ポリプロピレン）にて形成されている。
【００４０】
このケーシング３１内の送風空気流れ最上流側には、ケーシング３１内へ空気を導入する空気導入口３０ａが設けられている。もちろん、この空気導入口３０ａに、ケーシング内３１へ導入される空気を、内気（車室内空気）あるいは外気（車室外空気）に切り替える内外気切替装置を配置してもよい。
【００４１】
ケーシング３１内の空気導入口３０ａの
空気流れ下流側には、空気導入口３０ａを介して吸入した空気を車室内へ向けて送風する送風機３２が配置されている。この送風機３２は、遠心多翼ファン（シロッコファン）を電動モータにて駆動する電動送風機であって、空調制御装置６０から出力される制御電圧によって回転数（送風量）が制御される。そして、送風機３２の空気流れ下流側には、前述の蒸発器２２が配置されている。
【００４２】
ケーシング３１の送風空気流れ最下流部には、冷却対象空間である車室内へ蒸発器２２を通過した後の送風空気を吹き出す吹出口（図示せず）が配置されている。この吹出口としては、具体的に、車室内の乗員の上半身に向けて空調風を吹き出すフェイス吹出口、乗員の足元に向けて空調風を吹き出すフット吹出口、および、車両前面窓ガラス内側面に向けて空調風を吹き出すデフロスタ吹出口を設けてもよい。
【００４３】
さらに、フェイス吹出口、フット吹出口、およびデフロスタ吹出口の空気流れ上流側に、それぞれフェイス吹出口の開口面積を調整するフェイスドア、フット吹出口の開口面積を調整するフットドア、デフロスタ吹出口の開口面積を調整するデフロスタドアを配置して、それぞれの吹出口の開閉状態を切り替えて吹出口モードを変更するようにしてもよい。
【００４４】
次に、図２により、本実施形態の電気制御部について説明する。エンジン制御装置５０および空調制御装置６０は、ＣＰＵ、ＲＯＭおよびＲＡＭ等を含む周知のマイクロコンピュータとその周辺回路から構成される。そして、このＲＯＭ内に記憶された制御プログラムに基づいて各種演算、処理を行って、出力側に接続された各種機器の作動を制御する。
【００４５】
エンジン制御装置５０の出力側には、エンジン１０を構成する各種エンジン構成機器等が接続されている。具体的には、燃料噴射弁の駆動回路等が接続されている。一方、
エンジン制御装置５０の入力側には、アクセル開度Ａｃｃを検出するアクセル開度センサ５１、エンジン回転数Ｎｅを検出するエンジン回転数センサ５２、車速Ｖｖを検出する車速センサ５３等のエンジン制御用センサ群が接続されている。
【００４６】
空調制御装置６０の出力側には、圧縮機２１の電磁式容量制御弁２１ａ、電気式膨張弁２３、送風ファン２４ａ、送風機３２等の各種空調制御機器が接続されている。一方、空調制御装置６０の入力側には、車室内温度Ｔｒを検出する内気センサ６１、外気温Ｔａを検出する外気センサ６２、車室内の日射量Ｔｓを検出する日射センサ６３、蒸発器２２からの吹出空気温度（冷媒蒸発温度に対応）Ｔｅを検出する蒸発器温度センサ６４（蒸発器温度検出手段）等の空調制御用センサ群が接続されている。
【００４７】
さらに、空調制御装置６０の入力側には、車室内前部の計器盤付近に配置された操作パネル７０が接続され、この操作パネル７０に設けられた各種空調操作スイッチの操作信号が空調制御装置６０へ入力される。各種空調操作スイッチとしては、具体的に、車両用空調装置１の作動スイッチ、車両用空調装置のオート運転スイッチ、車室内の設定温度Ｔｓｅｔを設定する温度設定スイッチ、送風機３２の風量設定スイッチ等が設けられている。
【００４８】
なお、空調制御装置６０は、上述した各種空調制御機器を制御する制御手段が一体に構成されたものであるが、本実施形態では、特に、圧縮機２１の吐出能力変更手段である電磁式容量制御弁２１ａの作動（冷媒吐出能力）を制御する構成（ハードウェアおよびソフトウェア）を吐出能力制御手段６０ａとする。もちろん、吐出能力制御手段６０ａを空調制御装置６０に対して別体で構成してもよい。
【００４９】
また、本実施形態のエンジン制御装置５０および空調制御装置６０は、互いに電気的に接続されて、通信可能に構成されている。これにより、一方の制御装置に入力された検出信号あるいは操作信号に基づいて、他方の制御装置が出力側に接続された各種機器の作動を制御することもできる。従って、エンジン制御装置５０および空調制御装置６０を１つの制御装置として一体的に構成してもよい。
【００５０】
次に、図３により、車両用空調装置１の作動を説明する。図３は、空調制御装置６０が実行する制御処理を示すフローチャートである。この制御処理は、車両のイグニッションスイッチが投入（ＯＮ）された状態で、操作パネル７０のオート運転スイッチが投入（ＯＮ）されると開始される。
【００５１】
まず、ステップＳ１では、フラグ、タイマ、制御変数等のイニシャライズ（初期化）が行われる。そして、次のステップＳ２にて、空調制御用センサ群６１〜６５の検出信号、エンジン制御装置５０からの制御信号、および操作パネル７０の操作信号を読み込んで、ステップＳ３へ進む。
【００５２】
ステップＳ３では、車室内吹出空気の目標吹出温度ＴＡＯを算出する。目標吹出温度ＴＡＯは、下記数式Ｆ１により算出される。
ＴＡＯ＝Ｋｓｅｔ×Ｔｓｅｔ−Ｋｒ×Ｔｒ−Ｋａ×Ｔａ−Ｋｓ×Ｔｓ＋Ｃ…（Ｆ１）
ここで、Ｔｓｅｔは温度設定スイッチによって設定された設定温度であり、Ｔｒは内気センサ６１によって検出された車室内温度であり、Ｔａは外気温センサ６２によって検出された外気温であり、Ｔｓは日射センサ６３によって検出された日射量であり、Ｋｓｅｔ、Ｋｒ、Ｋａ、Ｋｓは制御ゲインであり、Ｃは補正用の定数である。
【００５３】
次のステップＳ４では、各種空調制御機器の作動状態および蒸発器２２における目標冷媒蒸発温度ＴＥＯを決定する。
【００５４】
例えば、送風機３２の送風量（具体的には、電動モータに印加するブロワモータ電圧）については、目標吹出温度ＴＡＯに基づいて、予め空調制御装置６０に記憶された制御マップを参照して決定する。
具体的には、ＴＡＯの極低温域（最大冷房域）でブロワモータ電圧を最大値にして、送風機３２の送風量を最大風量に制御する。さらに、ＴＡＯが極低温域から上昇するに伴って、ブロワモータ電圧を減少させて送風量を減少させる。
【００５５】
また、目標冷媒蒸発温度ＴＥＯについては、目標吹出温度ＴＡＯに基づいて、予め空調制御装置６０に記憶された制御マップを参照して決定する。具体的には、ＴＡＯの上昇に伴ってＴＥＯを上昇させるように決定する。さらに、本実施形態では、蒸発器２２の着霜を防止するため、ＴＥＯの下限値（本実施形態では、１℃）を設定している。
【００５６】
次のステップＳ５では、蒸発器温度センサ６４によって検出された冷媒蒸発温度Ｔｅが目標冷媒蒸発温度ＴＥＯとなるように、圧縮機２１の冷媒吐出能力を決定する。具体的には、電磁式容量制御弁２１ａに供給する制御電流Ｉｎを決定する。本実施形態では、冷媒蒸発温度Ｔｅと目標冷却温度ＴＥＯとの偏差（Ｔｅ−ＴＥＯ）に基づいて、ＴｅをＴＥＯに近づけるための制御電流Ｉｎを比例積分制御（ＰＩ制御）によるフィードバック制御手法にて、制御電流Ｉｎを決定している。
【００５７】
次のステップＳ６では、エンジン制御装置５０から取得した制御信号および予め空調制御装置６０に記憶された制御マップを参照して、エンジン１０が車両を走行させるとともに圧縮機２１を駆動するために消費する燃料消費量上限値Ｑｍを決定する。従って、本実施形態の制御ステップＳ６は、上限値決定手段を構成している。
【００５８】
ここで、前述の如く、エンジン制御装置５０は、燃料噴射弁への通電時間を変化させることによって燃料噴射量を制御している。さらに、エンジン制御装置５０では、エンジン制御用センサ群５１〜５３等から読み込んだ検出信号に基づいて、エンジン１０の負荷を算定し、車両走行用の駆動力を出力するために必要な燃料噴射弁への通電時間（燃料噴射量）を決定している。
【００５９】
なお、エンジン１０が駆動力を出力するために必要な燃料噴射量は、エンジン１０が駆動力を出力するために必要な燃料消費量に相当する。従って、以降の説明では、燃料噴射量を燃料消費量と記載する。また、上述した車両走行用の駆動力を出力するために必要な走行用燃料消費量Ｑｅには、もちろん冷凍サイクル２０の圧縮機２１用の駆動力を出力するために必要な圧縮機用燃焼消費量は含まれていない。
【００６０】
そこで、本実施形態では、冷媒蒸発温度Ｔｅから目標冷媒蒸発温度ＴＥＯを減算した値（Ｔｅ−ＴＥＯ）に基づいて、予め空調制御装置６０に記憶された制御マップを参照して、圧縮機用燃焼消費量の上限値Ｑｃを決定している。具体的には、図４に示すように、（Ｔｅ−ＴＥＯ）が増加するに伴って、燃料消費量上限値Ｑｍを増加させる。
【００６１】
さらに、この制御マップでは、（Ｔｅ−ＴＥＯ）が小さいときに対して、（Ｔｅ−ＴＥＯ）が大きいときの燃料消費量上限値Ｑｍの増加度合を増加させている。そして、エンジン制御装置５０から取得した制御信号に基づいて決定した走行用燃料消費量Ｑｅと圧縮機用燃焼消費量の上限値Ｑｃとを加算した値を燃料消費量上限値Ｑｍとしている。
【００６２】
次のステップＳ７では、エンジン１０の負荷に基づいて、予め空調制御装置６０に記憶された制御マップを参照して、ステップＳ６にて決定された燃料消費量上限値Ｑｍを補正する。従って、本実施形態の制御ステップＳ７は、上限値補正手段を構成している。
【００６３】
具体的には、図５に示すように、エンジン１０の負荷を低負荷、中負荷、高負荷の３段階に分けて、エンジン１０の負荷の増加に伴って補正量Ｑａを増加させる。そして、ステップＳ７で決定した燃料消費量上限値Ｑｍに補正量Ｑａを加算した値を補正後の燃料消費量上限値Ｑｍとする。なお、エンジン１０の負荷は、前述の如くエンジン制御装置５０にて算出された値を用いることができる。
【００６４】
次のステップＳ８では、エンジン１０にて実際に消費される燃料消費量が、ステップＳ７にて決定された補正後の燃料消費量上限値Ｑｍを上回っているか否かを判定する。より具体的には、このステップＳ８では、冷媒蒸発温度Ｔｅから目標冷媒蒸発温度ＴＥＯを減算した値（Ｔｅ−ＴＥＯ）に基づいて、予め定めた制御マップを参照して、ステップＳ５で決定された圧縮機２１の冷媒吐出能力を実現するために必要な燃焼消費量を推定する。
【００６５】
そして、推定された値に、前述の走行用燃料消費量Ｑｅを加算した値を、エンジン１０にて実際に消費される燃料消費量の推定値Ｑｓとする。さらに、この推定値Ｑｓが燃料消費量上限値Ｑｍを上回っていると判定された場合は、ステップＳ９へ進む。一方、推定値Ｑｓが燃料消費量上限値Ｑｍを上回っていないと判定された場合は、ステップＳ１０へ進む。
【００６６】
なお、ステップＳ８にて、ステップＳ５で決定された圧縮機２１の冷媒吐出能力を実現するために必要な燃焼消費量を推定する際に用いられる制御マップは、圧縮機２１が駆動しているときの燃料消費量から圧縮機２１が停止しているときの燃料消費量を減算した値を用いて決定されている。
【００６７】
つまり、（Ｔｅ−ＴＥＯ）は、圧縮機２１の冷媒吐出能力に相関を有する値であるから、予め（Ｔｅ−ＴＥＯ）と、圧縮機２１が駆動しているときの燃料消費量から圧縮機２１が停止しているときの燃料消費量を減算した値との相関関係を制御マップに記憶しておくことで、ステップＳ５で決定された圧縮機２１の冷媒吐出能力を実現するために必要な燃焼消費量を推定することができる。
【００６８】
ステップＳ９では、エンジン１０にて実際に消費される燃料消費量が燃料消費量上限値Ｑｍ以下になるように、圧縮機２１の冷媒吐出能力を減少させて、ステップＳ１０へ進む。具体的には、エンジン１０にて実際に消費される燃料消費量が燃料消費量上限値Ｑｍ以下になるように、ステップＳ５にて決定された電磁式容量制御弁２１ａに供給する制御電流Ｉｎを変更する。このとき、圧縮機２１の吐出容量を０％付近に減少することによって、圧縮機２１を実質的に作動停止状態にしてもよい。
【００６９】
ステップＳ１０では、上述のステップＳ４〜Ｓ９で決定された制御状態が得られるように、空調制御装置６０から各種空調制御機器に対して制御信号が出力される。
【００７０】
次に、ステップＳ１２では、制御周期τの間待機し、制御周期τの経過を判定するとステップＳ２に戻るようになっている。
【００７１】
本実施形態の車両用空調装置１は、以上の如く、蒸発器２２の冷媒蒸発温度Ｔｅが目標蒸発温度ＴＥＯに近づくように制御され、送風空気が蒸発器２２にて所望の温度まで冷却されて車室内へ吹き出される。これにより、車室内の冷房（空調）を実現することができる。
【００７２】
さらに、本実施形態の車両用空調装置１では、エンジン１０にて実際に消費される燃料消費量が燃料消費量上限値Ｑｍ以下となるように、圧縮機２１の冷媒吐出能力が制御されるので、エンジン１０にて実際に消費される燃料消費量が、燃料消費量上限値Ｑｍを超えてしまうことを抑制できる。従って、エンジン１０の燃料消費量を抑制して車両の燃費向上効果を得ることができる。
【００７３】
そして、上限値決定手段を構成する制御ステップＳ６にて、燃料消費量上限値Ｑｍを決定する際に、冷媒蒸発温度Ｔｅから目標冷媒蒸発温度ＴＥＯを減算した値（Ｔｅ−ＴＥＯ）を用いているので、空調負荷に応じて燃料消費量上限値Ｑｍを決定できる。つまり、車両走行に必要な走行用燃料消費量に対して、車室内空調を行うために必要最小限の圧縮機用燃料消費量を加算した値を、燃料消費量上限値Ｑｍとして決定することができる。
しかも、制御ステップＳ６では、（Ｔｅ−ＴＥＯ）の増加に伴って燃料消費量上限値Ｑｍを増加させるように決定し、（Ｔｅ−ＴＥＯ）が小さいときに対して大きいときの圧縮機用燃焼消費量の上限値Ｑｃの増加度合を増加させている。従って、空調負荷が低いときに対して高いときに、圧縮機用燃焼消費量を十分に確保して
冷媒蒸発温度Ｔｅを目標冷媒蒸発温度ＴＥＯに迅速に近づけることができる。その結果、車室内の空調を速やかに実現することができる。
【００７４】
従って、本実施形態の車両用空調装置１によれば、空調負荷に応じてエンジン１０の燃料消費量を抑制することができ、車両の燃費向上効果を十分に得つつ、車室内の空調を実現することができる。
【００７５】
また、上限値補正手段を構成する制御ステップＳ７にて、エンジン１０の負荷の増加に伴って、燃料消費量上限値Ｑｍを増加させる補正を行っているので、エンジン１０の負荷の増加に伴って、走行用燃料消費量が増加しても、車室内空調を行うために必要最小限の燃料消費量を確保できる。従って、車室内の空調を確実に実現できる。
【００７６】
また、上限値判定手段を構成する制御ステップＳ８にて、推定値Ｑｓを決定する際（具体的には、制御ステップＳ５で決定された圧縮機２１の冷媒吐出能力を実現するために必要な燃焼消費量を推定する際）に、圧縮機２１が駆動しているときの燃料消費量から圧縮機２１が停止しているときの燃料消費量を減算した値を用いている。
【００７７】
これにより、上限値判定手段の判定結果に基づいて、確実に、エンジン１０にて実際に消費される燃料消費量が、燃料消費量上限値Ｑｍ以下となるように圧縮機２１の冷媒吐出能力を制御することができる。
【００７８】
また、蒸発器２２が冷熱を蓄える畜冷部材を備えているので、エンジン１０の実際の燃料消費量が燃料消費量上限値Ｑｍを上回り、圧縮機２１の冷媒吐出能力が減少した際に、畜冷手段に蓄えられた冷熱によって、車室内へ吹き出される送風空気の温度を低下させることができる。従って、圧縮機２１の冷媒吐出能力が減少しても、車室内の温度が急上昇して乗員に不快感を与えることを抑制できる。
【００７９】
（他の実施形態）
本発明は、上述の実施形態に限定されることはなく、本発明の趣旨を逸脱しない範囲内で、以下のように種々変更可能である。
【００８０】
（１）上述の実施形態では、本発明の車両用空調装置を冷房用空調装置に適用した例を説明したが、本発明の適用はこれに限定されない。
【００８１】
例えば、ケーシング３１内の蒸発器２２の空気流れ下流側に二つの空気通路を形成し、一方の空気通路に蒸発器２２にて冷却された冷風を再加熱する加熱手段を配置し、他方の空気通路を加熱手段をバイパスさせるバイパス通路として構成し、一方の空気通路から流出した温風と他方の空気通路から流出した冷風との風量割合を調整することによって、車室内吹出空気温度を調整する、いわゆるエアミックス方式の冷暖房用空調装置に適用してもよい。
【００８２】
（２）上述の実施形態では、本発明の車両用空調装置をガソリンエンジン車両に適用した例を説明したが、本発明の適用はこれに限定されない。例えば、内燃機関としてディーゼルエンジンを採用するディーゼルエンジン車両に適用してもよいし、内燃機関および走行用電動モータから車両走行用動力を得る、いわゆるハイブリッド車両に適用してもよい。
【００８３】
（３）上述の実施形態では、圧縮機２１として可変容量型圧縮機を採用した例を説明したが、圧縮機２１はこれに限定されない。例えば、圧縮機２１として固定容量型圧縮機を採用してもよい。この場合は、内燃機関から圧縮機への動力伝達を断続する電磁クラッチの断続によって圧縮機作動の稼働率を変化させて冷媒吐出能力を調整する。従って、電磁クラッチが吐出能力変更手段を構成する。
【００８４】
さらに、上述の制御ステップＳ９では、エンジン１０にて実際に消費される燃料消費量が燃料消費量上限値Ｑｍ以下になるように、圧縮機２１の稼働率を調整して冷媒吐出能力を減少させればよい。もちろん、内燃機関から圧縮機への動力伝達を遮断して稼働率を０％として、圧縮機２１を作動停止状態にしてもよい。
【００８５】
（４）上述の実施形態では、図３の制御ステップＳ８にて、エンジン１０の実際の燃料消費量が燃料消費量上限値Ｑｍを上回っていないと判定された場合に、そのままステップＳ１０へ進む例を説明したが、エンジン１０の実際の燃料消費量が燃料消費量上限値Ｑｍを上回っていないと判定された場合に、圧縮機２１の冷媒吐出能力を増加させてもよい。
【符号の説明】
【００８６】
１０    エンジン（内燃機関）
２０    冷凍サイクル装置
２１    圧縮機
２２    蒸発器
６０ａ  吐出能力制御手段
【図１】
2011051491.tif 000003
【図２】
2011051491.tif 000004
【図３】
2011051491.tif 000005
【図４】
2011051491.tif 000006
【図５】
2011051491.tif 000007